(57)【要約】【課題】原稿の左右にも余白を設定できる手段を有したことにより、設定ミス等を低減させると共に、最小搬送長未満の原稿の上下に余白を付加したデジタル複写機を提供すること。【解決手段】コピー動作は、読み取った原稿の画像を９０度又は２７０度回転させて転写紙に複写する。読み取った画像を回転させて転写することでユーザーが原稿の主走査方向（左右方向）に求めていた余白量は、転写紙の副走査方向（上下方向）に求める余白となる。すると上記求める余白量はロール紙のカット長を変化させる方法にて実現可能となる。この方法は、転写紙の副走査長が原稿の主走査長プラス原稿の左右に設定された余白長の合計となるので、原稿の主走査長と原稿左右の余白量の和を自動計算し、ユーザーが希望する余白量を満足させる用紙長で転写紙をカットすることにより実現される（ステップ１４）。【選択図】　　　　図３
2004088347.tif 000002
【特許請求の範囲】
【請求項１】
原稿画像を読み取る読取手段と、
この読取手段で読み取った原稿画像を記憶する記憶手段と、
この記憶手段に記憶された原稿画像に回転処理を施す画像処理手段と、
前記読取手段で読み取った原稿画像の主走査長と副走査長を自動または手動で認識する原稿長認識手段と、
画像形成するためのロール紙を単数または複数収容可能な複数段のロール給紙段と、
前記ロール給紙段のロール紙からどの給紙段のロールに画像形成を行うかを自動または手動で選択する給紙段選択手段と、
原稿の載置方向に関わらず主走査方向または副走査方向の何れか任意の方向へ任意の余白量の設定を受け付ける余白設定手段と、
を備えたことを特徴とするデジタル複写機。
【請求項２】
前記余白設定手段により原稿の左右に余白を付ける設定がなされ、且つ前記給紙段選択手段により自動給紙段選択が選択されている場合には、
原稿の副走査長と一致する幅のロール給紙段を検索する検索手段を備え、
この検索手段により、一致する幅のロール紙が検索されたときには、自動でその給紙段にセットされたロール紙が選択され、前記画像処理手段により画像を９０度または２７０度回転させて、ロール紙のカット長を変化させることを特徴とする請求項１記載のデジタル複写機。
【請求項３】
前記検索手段により、一致するロール紙が検索されないときには、現在の設定もしくは現在のロール紙幅ではコピー動作が不可能な旨を表示する表示手段を備えたことを特徴とする請求項２記載のデジタル複写機。
【請求項４】
前記余白設定手段により原稿の左右に余白を付ける設定がなされ、且つ前記給紙段選択手段により手動給紙段選択が選択されている場合には、
選択されている給紙段にセットされているロール紙に対して、前記画像処理手段により左右または中央揃えで画像を９０度または２７０度回転させ、当該ロール紙のカット長を変化させることを特徴とする請求項１記載のデジタル複写機。
【発明の詳細な説明】
【０００１】
【発明の属する技術分野】
本発明は、画像回転制御と余白制御の複合制御が可能なデジタル複写機に関する。
【０００２】
【従来の技術】
近年急速に普及しているデジタル複写機は、単に原稿を忠実にに複写するだけでなく、原稿画像に対して各種処理を施すことができるようになっている。具体的には、「原稿に対し上下余白」を設定したり、「画像回転制御」はよりユーザーの希望に沿った画像を得る方法として利用されてきた。特開平８−６５４４３号公報、特開平８−２５１３２４号公報では、画像回転による処理時間を短縮する技術が開示されている。
【０００３】
【発明が解決しようとする課題】
ところで、従来のデジタル複写機では、余白は原稿に対し上下のみに付加が可能であり、原稿に対して左右に余白を付けるという制御は行っていなかった。
また、現在普及している上下余白と回転制御のみのデジタル複写機の場合、例えば原稿搬送型の複写機で、一片が最小搬送長に満たない原稿において最小搬送長未満側の上下に余白を付けて画像の出力を行う処理は不可能であった。すなわち、図３の（１）に示すように、余白を付けるには余白の位置を原稿の上下に持ってくるしかなかった。そのため、最小搬送長未満となってしまう原稿は余白を付けることがっできなかった。
さらに、原稿画像を正規の向きで扱えないため、余白設定のミスなどの誤操作が発生しやすかった。
そこで、本発明の目的は、原稿の左右にも余白を設定できる手段を有したことにより、設定ミス等を低減させると共に、最小搬送長未満の原稿の上下に余白を付加したデジタル複写機を提供することである。
【０００４】
【課題を解決するための手段】
請求項１記載の発明では、原稿画像を読み取る読取手段と、この読取手段で読み取った原稿画像を記憶する記憶手段と、この記憶手段に記憶された原稿画像に回転処理を施す画像処理手段と、前記読取手段で読み取った原稿画像の主走査長と副走査長を自動または手動で認識する原稿長認識手段と、画像形成するためのロール紙を単数または複数収容可能な複数段のロール給紙段と、前記ロール給紙段のロール紙からどの給紙段のロールに画像形成を行うかを自動または手動で選択する給紙段選択手段と、原稿の載置方向に関わらず主走査方向または副走査方向の何れか任意の方向へ任意の余白量の設定を受け付ける余白設定手段と、を備えたことにより、前記目的を達成する。
【０００５】
請求項２記載の発明では、請求項１記載の発明において、前記余白設定手段により原稿の左右に余白を付ける設定がなされ、且つ前記給紙段選択手段により自動給紙段選択が選択されている場合には、原稿の副走査長と一致する幅のロール給紙段を検索する検索手段を備え、この検索手段により、一致するロール紙が検索されたときには、自動でその給紙段にセットされたロール紙が選択され、前記画像処理手段により画像を９０度または２７０度回転させて、ロール紙のカット長を変化させることを特徴とする。
【０００６】
請求項３記載の発明では、請求項２記載の発明において、前記検索手段により、一致するロール紙が検索されないときには、現在の設定もしくは現在のロール紙幅ではコピー動作が不可能な旨を表示する表示手段を備えたことを特徴とする。
【０００７】
請求項４記載の発明では、請求項１記載の発明において、前記余白設定手段により原稿の左右に余白を付ける設定がなされ、且つ前記給紙段選択手段により手動給紙段選択が選択されている場合には、選択されている給紙段にセットされているロール紙に対して、前記画像処理手段により左右または中央揃えで画像を９０度または２７０度回転させ、当該ロール紙のカット長を変化させることを特徴とする。
【０００８】
【発明の実施の形態】
以下、本発明の好適な実施の形態を図１ないし図４を参照して詳細に説明する。
図１は、本発明の実施の形態に係るデジタル複写機の基本構成を示したブロック図であり、また、図２は、このデジタル複写機の概略を示した図である。
図１に示すように、デジタル複写機は、原稿を読み取る読取手段としての読取制御部１００、読み取られた原稿情報を記憶する記憶手段としての画像処理部３００、キー入力を行う操作手段としての操作部４００、記憶された情報を転写紙に複写するための書込制御部５００で構成されている。また、複数段のロール紙給紙段も設けられている。
【０００９】
読取制御部１００は、センサ１０１、画像増幅回路１０２、Ａ／Ｄ（アナログ／デジタル）変換回路１０３、シェーデング補正回路１０４、画像処理回路１０５、同期制御回路１０６、読取制御回路１０７、スキャナ駆動装置１０８を備えている。
画像処理部３００は、画像メモリ部３０１、一連のプロセスを実行制御するシステム制御装置３０２および駆動制御回路３０３を備えている。
書込制御部５００には、ＬＥＤ書込制御回路５０２、ＬＰＨ（ＬＥＤアレイプリンタヘッド）５０３およびプリンタ駆動装置５０５が設けられている。
操作部４００は、操作制御回路４０１および操作パネル４０２よりなる。
【００１０】
次に、図１および図２を参照して読取制御部１００の構成を説明する。
まず、オペレータが原稿を挿入口から挿入すると、原稿は、ローラ１の回転に応じて密着センサ２と白色ローラ３との間を搬送される。この搬送中の原稿は、密着センサ２に取り付いているＬＥＤにより照射され、その反射光は密着センサ２に結像され、原稿画像情報が読み取られる。
そして、図１のセンサ１０１上に結像した原稿画像は電気信号に変換され、このアナログ信号は、画像増幅回路１０２で増幅される。Ａ／Ｄ変換回路１０３は、画像増幅回路１０２で増幅されたアナログ画像信号を画素毎の多値デジタル画像信号に変換する。変換されたデジタル画像信号は、同期制御回路１０６から出力されるクロックに同期して出力され、シェーデング補正回路１０４により、光量ムラ、コンタクトガラスの汚れ、センサの感度ムラ等による歪みを補正される。この補正されたデジタル画像情報は、画像処理回路１０５でデジタル記録画像情報に変換された後、画像メモリ部３０１に書き込まれる。
【００１１】
次に、画像メモリ部３０１に書き込まれた画像信号を転写紙に形成するための一連のプロセスを制御しているシステム制御装置３０２と書込制御部５００の構成について説明する。
システム制御装置３０２は、全体制御を行う機能があり、読取制御回路１０７、同期制御回路１０６、画像メモリ部３０１、ＬＥＤ書込制御回路５０２での画像データの転送、および、原稿、転写紙の搬送を円滑に制御している。
書込制御部５００は、画像メモリ部３０１から同期信号クロックにより転送された画像信号をＬＥＤ書込制御回路５０２で１画素単位ビット変換し、ＬＰＨ５０３で赤外光に変換出力する。
【００１２】
続いて、図２を参照して記録紙に画像を形成するまでのプロセスを説明する。帯電装置４は、感光体ドラム５を−１２００Ｖに一様に帯電させるグリッド付きのスコロトロンチャージャと呼ばれるものである。発光素子アレイユニット６は、ＬＥＤをアレイ状に並べ、ＳＬＡ（セルフォックレンズアレー）を介して感光体ドラム５に照射するようになっている。発光素子アレイユニット６は、図１のＬＰＨ５０３に相当する。感光体ドラム５にデジタル画像情報に基づいたＬＥＤ光が照射されると、光導電現象で感光体表面の電荷が感光体ドラム５のアースに流れて消滅する。
ここで原稿濃度の淡い部分は、ＬＥＤを発光させないようにし、原稿濃度の濃い部分は、ＬＥＤを発光させる。これにより感光体ドラム５のレーザー光非照射部分には、画像の濃淡に対応した静電潜像が形成される。この静電潜像を現像ユニット７によって現像する。現像ユニット７内のトナーは撹拌により負に帯電されておりバイアスは−７００Ｖ印加されているため、レーザー光照射部分だけにトナーが付着する。
一方、記録紙は、３つの給紙台および手差しから選択され、レジストローラ８により所定のタイミングで感光体ドラム５の下部を通過し、この時に転写チャージャ９によりトナー像が記録紙上に転写される。続いて、記録紙は感光体ドラム５から分離チャージャ１０により分離され、搬送タンク１１により搬送されて定着ユニット１２に送られる。ここで、トナーが記録紙に定着する。
トナーが定着した記録紙は、排紙トレイ１３により機外に送られ排紙される。
【００１３】
ここで、図４のフローチャートを参照して、本実施の形態の処理手順を説明する。
まず、ユーザーが原稿に対して、主走査方向または副走査方向の何れか任意の方向へ、任意の余白量を付けてコピーを行いたい場合には、ユーザーが操作部４００にて主走査方向または副走査方向のどちらに余白を付けたいのかを設定する（ステップ１０）。その後、ユーザーは設定した方向の余白量を操作部４００にて設定する。また、デジタル複写機に複数の給紙段が設置されている場合には、ユーザーは同時に自動給紙段の設定、または手動で給紙段の設定を行う。
【００１４】
上記ユーザーによる設定が、原稿の主走査側（原稿の左右）余白、且つ自動給紙段設定だった場合には（ステップ１０；Ｙ、ステップ１１；Ｙ）、上記ユーザーの希望する転写紙を実現するため、デジタル複写機は、原稿の副走査長と同じ幅のロール紙がセットされている給紙段を検索する（ステップ１２）。その結果、一致する給紙段があった場合には（ステップ１２；Ｙ）、その給紙段が選択されコピー動作が始まる（ステップ１３）。
【００１５】
上記コピー動作は、読み取った原稿の画像を９０度または２７０度回転させて転写紙に複写する。読み取った画像を回転させて転写することでユーザーが原稿の主走査方向（左右方向）に求めていた余白量は、転写紙の副走査方向（上下方向）に求める余白となる。すると上記求める余白量はロール紙のカット長を変化させる方法にて実現可能となる。
【００１６】
上記実現方法とは、転写紙の副走査長が原稿の主走査長プラス原稿の左右に設定された余白長の合計となるので、原稿の主走査長と原稿左右の余白量の和を自動計算し、ユーザーが希望する余白量を満足させる用紙長で転写紙をカットすることにより実現される（ステップ１４）。さらに、原稿を時計回りに９０度回転させる場合には、原稿左余白分、転写紙への書き込みタイミングを遅らせる等をして転写紙先端に原稿左余白を実現する（ステップ１５）。
逆の場合も同様で、原稿を時計回りに２７０度回転させる場合には原稿右余白分、転写紙への書き込みタイミングを遅らせる等をして転写紙先端に原稿右余白を実現する。
【００１７】
上記、給紙段を検索した結果、一致する給紙段がなかった場合には、現在の設定もしくはロール紙幅ではコピー動作が不可能なことを操作部に表示等をすることによってユーザーに知らせる（ステップ１８）。
上記ユーザーによる設定が、原稿の主走査側（原稿の左右）余白、且つ手動給紙段設定だった場合には、上記ユーザーの希望する転写紙を実現するため、デジタル複写機は、選択された給紙段にて上記コピー動作を行う。
上記ユーザーによる設定が、原稿の副走査側（原稿の上下）余白だった場合には、上記ユーザーの希望する転写紙を実現するためデジタル複写機は、既存の余白実現手段にてコピー動作を行う（ステップ１７）。
この実施の形態によれば、図３の（２）に示すように、余白を左右に設定できるようになり、原稿の縦横の長さや、余白をつける位置によって原稿の向きを意識しなくても処理が可能となる。
【００１８】
【発明の効果】
請求項１、請求項２および請求項４記載の発明では、原稿の左右にも余白を設定できる手段を有したことにより、設定ミス等を低減させると共に、最小搬送長未満の原稿の上下に余白を付加した転写紙を得ることができる。
請求項３記載の発明では、ユーザーは当該設定では、複写の処理を行うことができない旨の通知を受けることができる。
【図面の簡単な説明】
【図１】本実施の形態に係るデジタル複写機の構成を示したブロック図である。
【図２】本実施の形態に係るデジタル複写機の外観を示した図である。
【図３】本実施の形態による複写の例を従来例のとの比較で示した図である。
【図４】本実施の形態の処理手順を示したフローチャートである。
【符号の説明】
１００　読取制御部
１０１　センサ
１０２　画像増幅回路
１０３、Ａ／Ｄ（アナログ／デジタル）変換回路
１０４　シェーデング補正回路
３００　画像処理部
３０１　画像メモリ部
３０２　システム制御装置
３０３　駆動制御回路
４００　操作部
５００　書込制御部
【図１】
2004088347.tif 000003
【図２】
2004088347.tif 000004
【図３】
2004088347.tif 000005
【図４】
2004088347.tif 000006